(57)【要約】  【課題】  呼出音を聞き分けることによって、訪問者が誰であるのかをユーザが簡便に判断することができるインターフォンシステムを提供する。  【解決手段】  訪問者の指紋データを取得する指紋取得手段と、該指紋取得手段により取得された指紋データを登録するデータベースと、前記指紋取得手段によって取得された取得指紋データと前記データベース内に既に登録されている登録指紋データとの関係を照合する照合手段と、呼出音を発生する呼出音発生手段とを備えるインターフォンシステムにおいて、前記照合手段による照合の結果に基づいて、前記呼出音発生手段によって異なる呼出音を発生させる制御手段を備える。【選択図】      図２
2006042172.tif 000002
【特許請求の範囲】
【請求項１】
訪問者の指紋データを取得する指紋取得手段と、
該指紋取得手段により取得された指紋データを登録するデータベースと、
前記指紋取得手段によって取得された取得指紋データと前記データベース内に既に登録されている登録指紋データとの関係を照合する照合手段と、
呼出音を発生する呼出音発生手段と
を備えるインターフォンシステムにおいて、
前記照合手段による照合の結果に基づいて、前記呼出音発生手段によって異なる呼出音を発生させる制御手段を備えることを特徴とするインターフォンシステム。
【請求項２】
前記制御手段は、前記照合手段の照合結果として、前記取得指紋データ及び前記登録指紋データが一致している場合と一致していない場合とで、前記呼出音発生手段に異なる呼出音を発生させることを特徴とする請求項１に記載のインターフォンシステム。
【発明の詳細な説明】
【技術分野】
【０００１】
本発明は、訪問者の指紋に基づいて訪問者を特定するインターフォンシステムに関する。
【背景技術】
【０００２】
従来、指紋に基づいて個人認証を行うインターフォンシステムが提案されている（特許文献１参照）。このようなインターフォンシステムは、屋外／室外（以下、室外という）に備えられた呼出装置の呼出ボタンを訪問者が押圧操作した場合に指紋データを取得し、取得した指紋データを、予め登録された指紋データと照合して、一致した指紋データについて、登録された個人を特定し、特定した個人の個人データを、屋内／室内（以下、室内という）に備えられた受付装置の表示部に表示させる。
【特許文献１】特開２００３−２９８７５３号公報
【発明の開示】
【発明が解決しようとする課題】
【０００３】
しかしながら、特許文献１に開示されているようなインターフォンシステムを用いる場合、室内に居るインターフォンシステムのユーザは、受付装置の表示部を目視して、表示部に表示された個人データを確認するまで、訪問者が登録された個人であるか否か、又は、訪問者が誰であるのかを判断することができないという問題があった。
【０００４】
また、従来の一般的なインターフォンシステムを用いる場合、ユーザが受付装置を用いて呼び出しに応答することによって、呼出装置及び受付装置の両方で、マイクとスピーカとを介して訪問者及びユーザが会話を行い、ユーザは会話の内容及び音声によって、訪問者が誰であるかを判断する。更に、呼出装置がビデオカメラのような撮像部を備える場合、撮像部が訪問者の画像を撮像して受付装置の表示部に表示させ、ユーザは受付装置の表示部で訪問者の画像を確認して訪問者が誰であるかを判断する。以上のようにして訪問者を特定する場合、受付装置の設置場所から離隔した場所に居るユーザでも、受付装置の設置場所へいちいち移動して受付装置を使用する必要があるという問題があった。
【０００５】
また、受付装置を使用しない場合、呼出音を聞いたユーザは、玄関の扉越しに、又は扉を開けて応対して、訪問者を特定していた。この場合、ユーザは少なくとも玄関へ移動するまで訪問者を特定することができないという問題があった。
【０００６】
本発明は斯かる問題を解決するためになされたものであり、訪問者から取得した取得指紋データと、データベース内に登録されている登録指紋データとの関係の照合結果に基づいて、異なる呼出音を発生させる構成とすることにより、訪問者が誰であるのかをユーザが簡便に判断することができるインターフォンシステムを提供することを目的とする。
【課題を解決するための手段】
【０００７】
第１発明に係るインターフォンシステムは、訪問者の指紋データを取得する指紋取得手段と、該指紋取得手段により取得された指紋データを登録するデータベースと、前記指紋取得手段によって取得された取得指紋データと前記データベース内に既に登録されている登録指紋データとの関係を照合する照合手段と、呼出音を発生する呼出音発生手段とを備えるインターフォンシステムにおいて、前記照合手段による照合の結果に基づいて、前記呼出音発生手段によって異なる呼出音を発生させる制御手段を備えることを特徴とする。
【０００８】
第２発明に係るインターフォンシステムは、前記制御手段は、前記照合手段の照合結果として、前記取得指紋データ及び前記登録指紋データが一致している場合と一致していない場合とで、前記呼出音発生手段に異なる呼出音を発生させることを特徴とする。
【発明の効果】
【０００９】
本発明のインターフォンシステムによれば、取得指紋データと登録指紋データとの関係によって、呼出音を鳴らし分けることができる。このため、ユーザは、呼出音を聞き分けることによって、訪問者が予め指紋登録した者であるか否かを判断することができる。
【発明を実施するための最良の形態】
【００１０】
第１発明のインターフォンシステムは、訪問者の指紋データを取得する指紋取得手段と、該指紋取得手段により取得された指紋データを登録するデータベースと、前記指紋取得手段によって取得された取得指紋データと前記データベース内に既に登録されている登録指紋データとの関係を照合する照合手段と、呼出音を発生する呼出音発生手段とを備えるインターフォンシステムにおいて、前記照合手段による照合の結果に基づいて、前記呼出音発生手段によって異なる呼出音を発生させる制御手段を備えるものである。
【００１１】
すなわち、第１発明のインターフォンシステムにあっては、指紋取得手段（例えば、指紋取得部１１及び指紋処理部１２、又は、指紋取得部２７及び指紋処理部２８）が、訪問者の指紋データを取得し、データベース（例えば、指紋ＤＢ２５１）が、指紋取得手段により取得された指紋データを登録する。また、照合手段（例えば、指紋照合部２６）は、指紋取得手段によって取得された取得指紋データとデータベース内に既に登録されている登録指紋データとの関係を照合する。更に、呼出音発生手段（例えば、ＣＰＵ２０、スピーカ２３、及び呼出音ＤＢ２５２）は、呼出音を発生する。
【００１２】
更にまた、制御手段（例えば、ステップＳ１４〜ステップＳ１８、ステップＳ３４〜ステップＳ４０、又はステップＳ５４〜ステップＳ６０におけるＣＰＵ２０）は、照合手段による照合の結果に基づいて、呼出音発生手段によって異なる呼出音を発生させる。
【００１３】
また、前記制御手段は、前記照合手段の照合結果として、前記取得指紋データ及び前記登録指紋データが一致している場合と一致していない場合とで、前記呼出音発生手段に異なる呼出音を発生させることができる。
【００１４】
すなわち、第２発明のインターフォンシステムにあっては、前記制御手段は、照合手段の照合結果として、取得指紋データ及び登録指紋データが一致している場合と一致していない場合とで、呼出音発生手段に異なる呼出音を発生させるのである（例えば、ステップＳ１４〜ステップＳ１８）。
【００１５】
インターフォンシステムは、室内のユーザに、室外の訪問者がユーザを呼び出していることを報知する際に用いられる。このようなインターフォンシステムにおいては、室外に設置された呼出装置の呼出ボタンを訪問者が押圧操作した場合に、室内に設置された受付装置のスピーカが呼出音を出力し、この呼出音によって訪問者によるユーザの呼び出しが行われる。
【００１６】
本発明のインターフォンシステムは、例えば呼出ボタンに指紋取得部を一体的に設けておき、呼出ボタンを押圧操作した訪問者の指の指紋データを取得する。次に、インターフォンシステムは、取得した取得指紋データとデータベースに登録されている登録指紋データとの関係を照合し、照合の結果に基づいて、異なる呼出音を発生する。この場合、例えば取得指紋データと登録指紋データとが一致する場合はチャイム音を発生させてスピーカから出力させ、一致しない場合はブザー音を発生させてスピーカから出力させる。このとき、登録されている登録指紋データ毎に、又は登録されている登録指紋データのグループ毎に、夫々異なるチャイム音を発生することが好ましい。
【００１７】
以上のようなインターフォンシステムを用いる場合、登録された訪問者か登録されていない訪問者かによって、又は、訪問者毎若しくは訪問者の種類（家族、友人、顔見知り、知らない相手等）毎に、呼出音が異なる。このため、ユーザは、スピーカから出力された呼出音を聞き分けることによって、少なくとも訪問者が登録された訪問者か否かを判断することができ、更には訪問者が誰であるかを判断することができる。また、指紋データは個々人に固有の生体データであるため、呼出音と、呼出音に関連付けられた訪問者の氏名、所属等とがわかっているユーザは、訪問者に面識がなくても、また、訪問者の髪型、服装等によらず、訪問者を正確に特定することができる。
【００１８】
室内に設置された前記受付装置は設置場所が固定されているが、受付装置のスピーカから出力される呼出音は、音量を適切に調節すれば受付装置の設置場所以外の場所に居るユーザにも聞こえる。つまりユーザは、呼出音が聞こえる場所に居れば良く、訪問者が誰であるかを判断するために、受付装置の設置場所へ移動してマイク及びスピーカで応対したり、表示部の画像を確認したりする必要がない。
【００１９】
また、呼出音の違いによって訪問者が誰であるかを特定したユーザは、呼出音を聞いた場所から、受付装置の設置場所を経ずに、直接的に玄関へ行って訪問者を出迎えることができる。このため、例えば訪問者が身内であると判断したユーザはラフな服装のままでも訪問者を出迎えることができ、訪問者が郵便／宅配便の配達人、集金人等であると判断したユーザは印鑑、現金等を予め準備することができる。また、例えば訪問者が見知らぬ相手であると判断したユーザは安易に扉を開けてしまうことを自戒して危険を防止することができる。つまり、本発明のインターフォンシステムは、ユーザの利便性を向上しつつ、安全性も高めることができる。
【００２０】
更にまた、訪問者にとっては呼出ボタンを操作してからユーザに応対されるまでの待ち時間が短縮され、この結果、本発明のインターフォンシステムは、訪問者の利便性も向上させることができる。
【００２１】
なお、呼出装置に撮像部を設けておき、指紋データを取得する場合に訪問者の画像も撮像する構成としても良い。このような構成の場合、取得された指紋データと訪問者の画像とをデータベースに記憶させて、例えば各訪問者の訪問履歴のデータベースを構築することができる。
【００２２】
また、取得指紋データが登録指紋データと一致しない場合、取得指紋データを、例えば訪問者の画像と共にデータベースに記憶させる構成としても良い。このような構成の場合、指紋データが登録されていない訪問者の指紋データを自動的に登録することができる。更に、取得指紋データを、例えば訪問者の画像と共にデータベースに記憶させる場合は、データベースのデータを編集するときに、自動的に登録した指紋データが誰の指紋データかをユーザが容易に判断することができる。更にまた、指紋データが登録されていない訪問者の１回目の来訪の際と、２回目以降の来訪の際とで更に呼出音を鳴らし分けることができる。また、指紋データと共に音声データも取得してデータベースに記憶させても良い。
【００２３】
更に、呼出ボタンに指紋取得部を一体的に設ける構成ではなく、呼出ボタンと指紋取得部とを別体に設ける構成でも良い。このような構成の場合、訪問者は、まず指紋取得部に指紋データを取得させ、次に呼出ボタンを操作するか、呼出ボタンのみを操作する。このとき、訪問者毎に異なる呼出音を発生させることができる。このように構成する場合、自身の指紋データが取得されることを好まない訪問者の指紋データをインターフォンシステムが取得してしまい、このせいで訪問者がユーザに悪感情を抱くことを防止できる。
【００２４】
また、一般に、呼出音は受付装置のスピーカからも出力されて、ユーザに対する呼び出しが確実に行われていることを訪問者に報知するが、受付装置のスピーカから出力される呼出音は、訪問者毎に異なる呼出音でもよく、同一の呼出音でも良い。
【００２５】
以下、本発明を、その実施の形態を示す図面に基づいて詳述する。
実施の形態  １．
図１は、本発明の実施の形態１に係るインターフォンシステムの構成を示すブロック図である。図中１及び２は呼出装置及び受付装置であり、呼出装置１は室外に、受付装置２は室内に夫々設置してあり、互いに通信ケーブルを介して接続されている。
【００２６】
呼出装置１は、呼出ボタン１０と、指紋取得部１１と、指紋処理部１２と、スピーカ１３と、Ｉ／Ｆ１４とを備えている。また、呼出装置１は、訪問者が室内のユーザと会話するためのマイク及び訪問者の画像を撮像する撮像部（各不図示）を備えている。
【００２７】
Ｉ／Ｆ１４は呼出装置１と受付装置２とを接続するインタフェースであり、呼出装置１はＩ／Ｆ１４を介して各種信号及びデータを送受する。呼出ボタン１０は、自身が訪問者によって押圧操作された場合に、訪問者がユーザを呼び出すために呼出ボタンを押圧操作したことを示す所定の波形を有する信号（以下、呼出信号という）を受付装置２へ送出する。
【００２８】
指紋取得部１１は、訪問者が呼出ボタン１０を押圧操作した場合に、呼出ボタン１０を押圧操作した指の指紋のパターンに対応したアナログ信号の指紋信号を、静電容量方式、光学方式等の公知の技術を用いて生成し、生成した指紋信号を指紋処理部１２へ送出する。指紋処理部１２は、指紋取得部１１から送出された指紋信号を受け付け、受け付けた指紋信号に基づいて例えば指紋の特徴点の検出処理を行うことによって、受け付けた指紋信号を、後述する指紋照合部２６での照合に供されるデジタルデータである指紋データに変換し、変換した指紋データを受付装置２へ送出する。
【００２９】
指紋取得部１１及び指紋処理部１２は、呼出ボタン１０による呼出信号の送出をトリガーとして指紋信号及び指紋データを生成する。以上のようにして指紋取得部１１及び指紋処理部１２は、訪問者の指紋データを取得する。以下では、呼出ボタン１０が押圧された場合に指紋取得部１１及び指紋処理部１２によって取得された指紋データを取得指紋データという。
【００３０】
指紋取得部１１は、呼出ボタン１０に一体的に設けられている。このため、訪問者は呼出ボタン１０の押圧操作をするだけで良く、例えば呼出ボタン１０とは別体に設けられた指紋取得部に自身の指を押し当てる必要がない。
【００３１】
なお、訪問者に気付かれずに取得指紋データを得る場合、指紋取得部１１を呼出ボタン１０に内蔵し、非光学方式の指紋読取技術を用いることが好ましい。
【００３２】
受付装置２は、ＣＰＵ２０と、ＲＯＭ２１と、ＲＡＭ２２と、スピーカ２３と、Ｉ／Ｆ２４と、データベース部２５と、指紋照合部２６と、指紋取得部２７と、指紋処理部２８とを備えている。また、受付装置２は、室内のユーザが訪問者と会話するためのマイクや、呼出装置１の撮像部が撮像した訪問者の画像、インターフォンシステムの作動状況、ユーザに対する指示等を表示する表示部や、表示部を目視しながらユーザが操作する操作部等（各不図示）を備えている。
【００３３】
ＣＰＵ２０は受付装置２の制御中枢であり、バス又は信号線を介して、ＲＯＭ２１、ＲＡＭ２２等、受付装置２の各部に接続されている。ＣＰＵ２０はＲＯＭ２１に記憶された制御プログラム及びデータに従って各部を制御し、ＲＡＭ２２を作業領域として用いて各種処理を実行する。この場合、ＣＰＵ２０は各部を作動させる信号及びデータを各部へ送出し、各部は受け付けた信号及びデータに従って作動する。
【００３４】
Ｉ／Ｆ２４は受付装置２と呼出装置１とを接続するインタフェースであり、ＣＰＵ２０はＩ／Ｆ２４を介して呼出装置１を作動させる信号及びデータを送出し、また、呼出装置１から送出される信号及びデータを受け付ける。
【００３５】
データベース部２５は、例えばハードディスクのようにデータの読み書きが可能な記憶装置を用いてなり、指紋データを登録するための指紋データベース（ＤＢ）２５１、及び呼出音のデータを記憶する呼出音ＤＢ２５２を有する。これらのデータベースは１個のハードディスクの記憶領域の夫々一部に設けられても良く、データベース毎に別個のハードディスクが用いられても良い。
【００３６】
本実施の形態においては指紋ＤＢ２５１に指紋データを記憶させることによって訪問者を登録する。指紋ＤＢ２５１には、登録された訪問者の指紋データが記憶される。以下では、指紋ＤＢ２５１に記憶してある指紋データを登録指紋データという。
【００３７】
指紋取得部２７は、例えば受付装置２の操作部に設けられたパッド部に訪問者が指で触れた場合に、パッド部に触れた指の指紋のパターンに対応した指紋信号を生成し、生成した指紋信号を指紋処理部２８へ送出する。指紋処理部２８は、指紋取得部２７から送出された指紋信号を受け付け、受け付けた指紋信号に基づいて例えば指紋の特徴点の検出処理を行うことによって、受け付けた指紋信号を指紋データに変換する。変換された指紋データは、ＣＰＵ２０によって、指紋ＤＢ２５１に記憶される。なお、指紋ＤＢ２５１に記憶させる指紋データを、指紋取得部１１及び指紋処理部１２を介して取得しても良い。
【００３８】
本実施の形態においては、登録された訪問者によるユーザの呼び出しの際に、呼出音としてメロディ音を用い、未登録の訪問者による呼び出しの際には、メロディ音とは異なるベル音を用いる。
【００３９】
呼出音ＤＢ２５２には、メロディ音及びベル音夫々をスピーカ１３，２３から発生させるためのメロディ音データ及びベル音データ夫々が記憶されている。ＣＰＵ２０は、呼出音ＤＢ２５２からメロディ音データ又はベル音データを読み出し、呼出音ＤＢ２５２から読み出したメロディ音データ又はベル音データと、スピーカ１３，２３に呼出音を出力させる所定の波形を有する呼出音出力指示信号とをスピーカ１３，２３へ出力する。スピーカ１３，２３は、メロディ音データ又はベル音データと呼出音出力指示信号とが入力された場合に、入力されたメロディ音データ又はベル音データに基づいて、呼出音であるメロディ音又はベル音を出力する。
【００４０】
ＣＰＵ２０は、呼出装置１から送出された呼出信号及び取得指紋データを受け付けた場合に、指紋ＤＢ２５１から全ての登録指紋データを読み出し、指紋照合部２６のバッファメモリ２６０に、受け付けた取得指紋データ及び読み出した登録指紋データを記憶させる。更にＣＰＵ２０は、指紋照合部２６に指紋を照合させる指紋照合指示信号を指紋照合部２６へ送出する。
【００４１】
指紋照合部２６は、バッファメモリ２６０に取得指紋データと登録指紋データとが記憶され、指紋照合指示信号を受け付けた場合に、取得指紋データと登録指紋データとの関係、この場合は一致するか否かを照合し、取得指紋データが登録指紋データの一つと一致した場合に、取得指紋データと登録指紋データとが一致したことを示す一致信号をＣＰＵ２０へ送出する。また、指紋照合部２６は、取得指紋データが登録指紋データの全てと一致しなかった場合に、取得指紋データと登録指紋データとが一致しなかったことを示す不一致信号をＣＰＵ２０へ送出する。指紋照合部２６は、ＲＯＭ２１又は自身に含まれる不図示のＲＯＭに記憶してある指紋照合プログラムに含まれている所定のアルゴリズムに従って取得指紋データと登録指紋データと比較する。
【００４２】
なお、指紋照合部２６を設けずにＣＰＵ２０が指紋を照合しても良い。また、データベース部２５、指紋照合部２６、指紋取得部２７及び／又は指紋処理部２８は、受付装置２とは別体に設けられても良い。
【００４３】
図２は、ＣＰＵ２０が実行する鳴分処理の手順を示すフローチャートである。ＣＰＵ２０は呼出信号を受け付けたか否かを判定し（ステップＳ１１）、受け付けていない場合（ステップＳ１１でＮＯ）、呼出信号を受け付けるまで待機する。呼出信号を受け付けた場合（ステップＳ１１でＹＥＳ）、訪問者によって呼出ボタン１０が押圧操作されたため、ＣＰＵ２０は、更に取得指紋データを受け付けたか否かを判定し（ステップＳ１２）、受け付けていない場合（ステップＳ１２でＮＯ）、取得指紋データを受け付けるまで待機する。
【００４４】
取得指紋データを受け付けた場合（ステップＳ１２でＹＥＳ）、ＣＰＵ２０は、指紋照合部２６に指紋照合指示を与える（ステップＳ１３）。このステップＳ１３にて、ＣＰＵ２０は、受け付けた取得指紋データを指紋照合部２６へ送出してバッファメモリ２６０に記憶させ、また、指紋ＤＢ２５１から登録指紋データを全て読み出し、読み出した登録指紋データを指紋照合部２６へ送出してバッファメモリ２６０に記憶させ、更に、指紋照合指示信号を指紋照合部２６へ送出する。指紋照合部２６は、取得指紋データと登録指紋データとの関係を照合して、一致信号又は不一致信号を送出する。
【００４５】
ＣＰＵ２０は、一致信号を受け付けたか否かを判定し（ステップＳ１４）、受け付けた場合（ステップＳ１４でＹＥＳ）、訪問者が登録されている訪問者であるため、呼出音ＤＢ２５２からメロディ音データを読み出して（ステップＳ１５）、スピーカ１３，２３に呼出音出力指示を与える（ステップＳ１６）。この場合、ＣＰＵ２０は、呼出音ＤＢ２５２から読み出したメロディ音データと呼出音出力指示信号とをスピーカ１３，２３へ送出する。このとき、スピーカ１３，２３がメロディ音データに基づいてメロディ音を出力する。
【００４６】
スピーカ２３から出力されたメロディ音によって、ユーザは、訪問者が登録されている訪問者であると判断する。また、スピーカ１３から出力されたメロディ音によって、訪問者は、インターフォンシステムがユーザを呼び出していると判断する。
【００４７】
一致信号を受け付けていない場合（ステップＳ１４でＮＯ）、ＣＰＵ２０は、不一致信号を受け付けたか否かを判定し（ステップＳ１７）、受け付けていない場合（ステップＳ１７でＮＯ）、処理をステップＳ１４へ戻して、一致信号又は不一致信号を受け付けるまで待機する。
【００４８】
不一致信号を受け付けた場合（ステップＳ１７でＹＥＳ）、訪問者が未登録の訪問者であるため、ＣＰＵ２０は、呼出音ＤＢ２５２からベル音データを読み出して（ステップＳ１８）、ステップＳ１６へ処理を移し、スピーカ１３，２３に呼出音出力指示を与える。この場合、ＣＰＵ２０は、呼出音ＤＢ２５２から読み出したベル音データと呼出音出力指示信号とをスピーカ１３，２３へ送出する。このとき、スピーカ１３，２３がベル音データに基づいてベル音を出力する。
【００４９】
スピーカ２３から出力されたベル音によって、ユーザは、訪問者が未登録の訪問者であると判断する。また、スピーカ１３から出力されたベル音によって、訪問者は、インターフォンシステムがユーザを呼び出していると判断する。
【００５０】
一般に訪問者は、呼出装置１のスピーカ１３から呼出音が出力された場合に呼出ボタン１０から指を離す。一方、本実施の形態においては少なくとも指紋データの取得が完了するまでスピーカ１３から呼出音が出力されないため、指紋データの取得完了前に訪問者が呼出ボタン１０の指紋取得部１１から指を離すことが防止される。
【００５１】
ステップＳ１６の処理後、ＣＰＵ２０は鳴分処理を終了して、処理をステップＳ１１へ戻す。
【００５２】
なお、ＣＰＵ２０が指紋照合部２６へ登録指紋データを１個ずつ送出してバッファメモリ２６０に記憶させ、１個の登録指紋データ毎に一致信号又は不一致信号を受け付けても良い。この場合、ＣＰＵ２０は、指紋照合部２６へ送出した全ての登録指紋データ夫々に対応して不一致信号が出力されたときに、ベル音データの読み出しを行う。また、一致信号が出力されたとき、まだ指紋照合部２６へ送出していない登録指紋データの読み出しを中止してメロディ音データの読み出しを行う。
【００５３】
以上のようなインターフォンシステムは、指紋認証を利用したインターフォンの鳴り分け機能を有する。つまり、インターフォンの呼出ボタン部である呼出装置１の呼出ボタン１０が、指紋取得部１１を有する指紋認証装置になっており、予め登録された相手又は登録されていない相手からの呼び出しに対してメロディ音又はベル音の鳴り分け機能が働く。このため、室内のユーザが、マイクで呼出音に応答することも、インターフォンシステムの呼出装置に備えられている撮像部で撮像された訪問者の画像を受付装置に備えられている表示部で確認することもなく、鳴らし分けられた呼出音を聞き分けることによって、室外の訪問者が登録された訪問者であるか未登録の訪問者であるかを判別することができる。
【００５４】
なお、呼出音のデータに基づく呼出音を夫々スピーカ１３，２３から出力するソフト的な構成ではなく、メロディ音発生部とベル音発生部とをハード的に備え、取得指紋データが登録指紋データと一致するか否かに応じてメロディ音発生部又はベル音発生部で呼出音を発生させるよう構成しても良い。
実施の形態  ２．
本実施の形態におけるインターフォンシステムは、実施の形態１におけるインターフォンシステムと略同様の構成であるが、訪問者を登録するための訪問者ＤＢ２５０がデータベース部２５に追加されている点が異なる。その他、実施の形態１に対応する部分には同一符号を付してそれらの説明を省略する。
【００５５】
図３は、本発明の実施の形態２に係るインターフォンシステムが備えるデータベース部２５の訪問者ＤＢ２５０に記憶してあるデータの一例を示す模式図である。データベース部２５に記憶されるデータは、指紋取得部１１及び指紋処理部１２、指紋取得部２７及び指紋処理部２８、並びに受付装置２が備える表示部及び操作部等（各不図示）を用いて作成される。
【００５６】
本実施の形態の呼出音ＤＢ２５２には、異なる複数のメロディ音の夫々に対応するメロディ音データ、及びベル音データが記憶されている。
【００５７】
また、指紋ＤＢ２５１には、登録された訪問者の指紋データが記憶される。登録指紋データは、指紋取得部２７又は指紋取得部１１に訪問者が指を置くことによって、指紋取得部２７及び指紋処理部２８、又は指紋取得部１１及び指紋処理部１２を介して取得され、ＣＰＵ２０によって指紋ＤＢ２５１に記憶される。また、登録指紋データは、未登録の訪問者が訪問時に呼出ボタン１０を押圧操作することによって、指紋取得部１１及び指紋処理部１２を介して取得され、ＣＰＵ２０によって指紋ＤＢ２５１に記憶される。
【００５８】
つまり、本実施の形態においては、訪問者が能動的に指紋データを登録する場合と、訪問時に指紋データが自動的に登録される場合とがある。このために、取得指紋データは、取得指紋データと一致する登録指紋データが指紋ＤＢ２５１に記憶されていない場合は、登録指紋データとして指紋ＤＢ２５１に記憶される。
【００５９】
また、本実施の形態においては、指紋ＤＢ２５１に指紋データを記憶させるのみならず、指紋データが記憶された訪問者の氏名や、訪問者とユーザとの関係等の個人データを訪問者ＤＢ２５０に記憶させることによって訪問者を登録する。個人データは、受付装置２の表示部を目視しながら操作部を操作してユーザが作成し、作成された個人データをＣＰＵ２０が訪問者ＤＢ２５０に記憶させる。
【００６０】
更に、登録されているユーザの呼び出しの際、訪問者毎に、又は訪問者の種類（家族、友人、隣人等）毎に、異なるメロディ音を用い、未登録の訪問者による呼び出しの際にはベル音を用いる。
【００６１】
図３に示すように、訪問者ＤＢ２５０には、「訪問者」「指紋データ」及び「呼出音」のデータが関連付けて記憶される。「訪問者」のデータは、指紋データが登録されている訪問者の氏名のデータ（図中「登録客１」「登録客２」）、訪問者が過去に訪ねてきたことがあることを示すデータ（図中「過去の訪問客」）、又は、訪問者が過去に訪ねてきたことがないことを示すデータ（図中「／」）である。以下では、訪問者の氏名及び過去に訪ねてきたことがあるか否かのデータを、個人データという。
【００６２】
「指紋データ」のデータは、指紋ＤＢ２５１に記憶してある登録指紋データのアドレス（図中「指紋１」「指紋２」「指紋１０１」「指紋１０２」）である。「登録客１」及び「登録客２」のような個人データ夫々と登録指紋データのアドレス「指紋１」及び「指紋２」夫々とは一対一対応である。また、「過去の訪問客」のような個人データには複数の登録指紋データのアドレス「指紋１０１」及び「指紋１０２」が対応している。更に、「訪問者」の「／」のような個人データには、登録指紋データが存在しないことを示すデータ（図中「／」）が対応している。
【００６３】
「呼出音」のデータは、呼出音ＤＢ２５２に記憶してある呼出音のデータのアドレス（図中「メロディ１」「メロディ２」「メロディ１００」「ベル」）である。「登録客１」及び「登録客２」のような個人データ夫々と、異なるメロディ音データのアドレス「メロディ１」及び「メロディ２」夫々とは一対一対応である。また、「過去の訪問客」のような個人データには、更に異なる１個のメロディ音データのアドレス「メロディ１００」が対応している。更に、「訪問者」の「／」のような個人データには、ベル音データのアドレス「ベル」が対応している。
【００６４】
ＣＰＵ２０は、呼出装置１から送出された呼出信号及び取得指紋データを受け付けた場合に、指紋ＤＢ２５１から全ての登録指紋データを読み出し、指紋照合部２６のバッファメモリ２６０に、受け付けた取得指紋データ及び登録指紋データと、登録指紋データのアドレスとを記憶させる。指紋照合部２６は、取得指紋データが登録指紋データの一つと一致した場合に、一致信号と、取得指紋データに一致した登録指紋データのアドレスとをＣＰＵ２０へ送出する。
【００６５】
図４は、ＣＰＵ２０が実行する鳴分処理の手順を示すフローチャートである。ステップＳ３１〜ステップＳ３３、ステップＳ３７及びステップＳ３８の処理は、実施の形態１におけるステップＳ１１〜ステップＳ１３、ステップＳ１６及びステップＳ１７の処理と同様であるため、詳述を省略する。
【００６６】
指紋照合部２６は、取得指紋データと登録指紋データとを照合して、一致信号及び登録指紋データのアドレス、又は不一致信号を送出する。
【００６７】
ＣＰＵ２０は、一致信号及び登録指紋データのアドレスを受け付けたか否かを判定し（ステップＳ３４）、受け付けた場合（ステップＳ３４でＹＥＳ）、訪問者が登録されている訪問者であるため、受け付けた登録指紋データのアドレスに関連付けて訪問者ＤＢ２５０に記憶してあるメロディ音データのアドレスを検索し（ステップＳ３５）、検索結果に基づいてメロディ音データを呼出音ＤＢ２５２から読み出して（ステップＳ３６）、スピーカ１３，２３に呼出音出力指示を与える（ステップＳ３７）。
【００６８】
スピーカ２３から出力されたメロディ音によって、ユーザは、訪問者が登録されている訪問者であると判断し、更に、スピーカ２３から出力されたメロディ音を聞き分けることによって、訪問者の氏名を特定するか、又は訪問者が過去に訪ねてきたことがある訪問者であると特定する。
【００６９】
不一致信号を受け付けた場合（ステップＳ３８でＹＥＳ）、訪問者が未登録の訪問者であるため、ＣＰＵ２０は取得指紋データを指紋ＤＢ２５１に記憶させ（ステップＳ３９）、更にステップＳ３９で指紋ＤＢ２５１に記憶させた取得指紋データ、即ち登録指紋データのアドレスを、訪問者ＤＢ２５０の「過去の訪問客」及び「メロディ１００」に関連付けて訪問者ＤＢ２５０に記憶させる。更にＣＰＵ２０は、呼出音ＤＢ２５２からベル音データを読み出して（ステップＳ４０）、ステップＳ３７へ処理を移して、スピーカ１３，２３に呼出音出力指示を与える。
【００７０】
スピーカ２３から出力されたベル音によって、ユーザは、訪問者が未登録の訪問者、具体的には初めて訪ねてきた訪問者であると判断する。
【００７１】
ステップＳ３７の処理後、ＣＰＵ２０は鳴分処理を終了して、処理をステップＳ３１へ戻す。
【００７２】
なお、未登録の訪問者が１度の訪問で呼出ボタン１０を２回以上押圧操作した場合、例えば取得指紋データを受け付けてから所定時間までの間に同一の取得指紋データを受け付けたときは、ベル音を出力することが望ましい。
【００７３】
また、スピーカ２３からメロディ音を出力させる場合に、「登録客１」、「登録客２」及び「過去の訪問客」のような個人データを、受付装置２の表示部に表示させても良い。
【００７４】
以上のようなインターフォンシステムは、指紋認証を利用したインターフォンの鳴り分け機能を有し、予め登録された相手又は登録されていない相手からの呼び出しに対して複数のメロディ音又はベル音の鳴り分け機能が働く。このため、室内のユーザが、マイクで呼出音に応答することも、インターフォンシステムの呼出装置に備えられている撮像部で撮像された訪問者の画像を受付装置に備えられている表示部で確認することもなく、鳴らし分けられた呼出音を聞き分けることによって、訪問者の氏名、又は訪問者が過去に訪ねてきたことがある訪問者であること、あるいは訪問者が過去に訪ねてきたことがない訪問者であることをも判別することができる。
【００７５】
また、未登録の訪問者の指紋データが自動的に取得されるため、初めての訪問者と２回目以降の訪問者とをメロディ音とベル音とで鳴らし分けることができる。更に、未登録の訪問者の指紋データを改めて取得する必要がない。
実施の形態  ３．
図５は、本発明の実施の形態３に係るインターフォンシステムの構成を示すブロック図である。本実施の形態におけるインターフォンシステムは、実施の形態２におけるインターフォンシステムと略同様の構成であるが、呼出装置１に撮像部１５及び画像処理部１６が追加され、受付装置２に日付及び時刻を計時する時計部２９が追加されている点が異なる。また、訪問者の画像を登録するための画像ＤＢ２５３がデータベース部２５に追加されている点も異なる。その他、実施の形態２に対応する部分には同一符号を付してそれらの説明を省略する。
【００７６】
撮像部１５は、訪問者の静止画像を撮像してビデオ信号として生成し、生成したビデオ信号を画像処理部１６へ送出する。画像処理部１６は、受け付けたビデオ信号をデジタルデータである画像データに変換し、圧縮して、受付装置２へ送出する。撮像部１５及び画像処理部１６は、呼出ボタン１０による呼出信号の送出をトリガーとしてビデオ信号及び画像データを生成する。ＣＰＵ２０は、呼出装置１から送出された呼出信号、取得指紋データ、及び画像データを受け付ける。
【００７７】
図６は、データベース部２５の訪問者ＤＢ２５０に記憶してあるデータの一例を示す模式図である。データベース部２５に記憶されるデータは、指紋取得部１１及び指紋処理部１２、指紋取得部２７及び指紋処理部２８、撮像部１５及び画像処理部１６、並びに受付装置２が備える表示部及び操作部等（各不図示）を用いて作成される。
【００７８】
ＣＰＵ２０は、受け付けた画像データを画像ＤＢ２５３に記憶させ、画像ＤＢ２５３に記憶させた画像データのアドレスを、訪問者ＤＢ２５０に記憶させる。また、ＣＰＵ２０は、画像データを受け付けた日時を時計部２９から得て、得られた日時のデータを訪問者ＤＢ２５０に記憶させる。
【００７９】
図６に示すように、訪問者ＤＢ２５０には、「訪問者」「指紋データ」「画像データ」「訪問日時」及び「呼出音」のデータが関連付けて記憶される。「訪問者」「指紋データ」及び「呼出音」のデータは、実施の形態の２の「訪問者」「指紋データ」及び「呼出音」のデータと同様である。「画像データ」のデータは、訪問者が訪問してきた際に撮像部１５及び画像処理部１６が生成し画像ＤＢ２５３に記憶された画像データのアドレス（図中「画像１」「画像２」「画像１０１」「画像１０２」）である。また、「訪問日時」のデータは、訪問者が訪問してきた日時、この場合、ＣＰＵ２０が画像データを受け付けた日時のデータである。
【００８０】
図７は、ＣＰＵ２０が実行する鳴分処理の手順を示すフローチャートである。ステップＳ５１〜ステップＳ６０の処理は、実施の形態２におけるステップＳ３１〜ステップＳ４０の処理と略同様であるため、詳述を省略する。
【００８１】
ステップＳ５７の処理後、ＣＰＵ２０は画像データを受け付けたか否かを判定し（ステップＳ６１）、受け付けていない場合（ステップＳ６１でＮＯ）、受け付けるまで待機する。画像データを受け付けた場合（ステップＳ６１でＹＥＳ）、ＣＰＵ２０は、受け付けた画像データを画像ＤＢ２５３に記憶させる（ステップＳ６２）。更にＣＰＵ２０は、ステップＳ６２で画像ＤＢ２５３に記憶させた画像データのアドレスと、時計部２９が計時した現在日時のデータとを、ステップＳ５４で受け付けた登録指紋データのアドレス、又はステップＳ５９で指紋ＤＢ２５１に記憶させた登録指紋データのアドレスに関連付けて、訪問者ＤＢ２５０に記憶させる（ステップＳ６３）。ステップＳ６３の処理後、ＣＰＵ２０は鳴分処理を終了して、処理をステップＳ５１へ戻す。
【００８２】
なお、訪問者が１度の訪問で呼出ボタン１０を２回以上押圧操作した場合、例えば呼出信号を受け付けてから所定時間までの間に再び呼出信号を受け付けたときは、撮像部１５での撮像、並びに画像データ及び日時データの記憶を１度だけにしても良い。
【００８３】
また、スピーカ２３からメロディ音を出力させる場合に、「登録客１」、「登録客２」及び「過去の訪問客」のような個人データ及び撮像部１５によって撮像された画像を、受付装置２の表示部に表示させても良い。
【００８４】
以上のようなインターフォンシステムは、指紋認証を利用したインターフォンの鳴り分け機能を有し、予め登録された相手又は登録されていない相手からの呼び出しに対して複数のメロディ音又はベル音の鳴り分け機能が働く。このため、室内のユーザが、マイクで呼出音に応答することも、インターフォンシステムの呼出装置に備えられている撮像部で撮像された訪問者の画像を受付装置に備えられている表示部で確認することもなく、鳴らし分けられた呼出音を聞き分けることによって、室外の訪問者が登録された訪問者であるか未登録の訪問者であるかを判別し、更には訪問者の氏名、又は訪問者が過去に訪ねてきたことがあるか否かをも判別することができる。
【００８５】
また、未登録の訪問者の指紋データが自動的に取得されるため、初めての訪問者と２回目以降の訪問者とをメロディ音とベル音とで鳴らし分けることができる。更に、未登録の訪問者の指紋データを改めて取得する必要がない。
【００８６】
更に、ユーザは、訪問者ＤＢ２５０に記憶されているデータを受付装置２の表示部に表示させることによって、訪問者の画像を目視し、また、訪問者の訪問履歴を把握することができる。このような訪問履歴を残すことによって、インターフォンシステムを、例えば防犯の役に立たせることができる。更に、受付装置２の表示部及び操作部を用いて訪問者ＤＢ２５０を編集する際に、訪問者の画像及び／又は訪問履歴を参考にすることができる。
【図面の簡単な説明】
【００８７】
【図１】本発明の実施の形態１に係るインターフォンシステムの構成を示すブロック図である。
【図２】本発明の実施の形態１に係るインターフォンシステムの鳴分処理の手順を示すフローチャートである。
【図３】本発明の実施の形態２に係るインターフォンシステムが備えるデータベース部の訪問者ＤＢに記憶してあるデータの一例を示す模式図である。
【図４】本発明の実施の形態２に係るインターフォンシステムの鳴分処理の手順を示すフローチャートである。
【図５】本発明の実施の形態３に係るインターフォンシステムの構成を示すブロック図である。
【図６】本発明の実施の形態３に係るインターフォンシステムが備えるデータベース部の訪問者ＤＢに記憶してあるデータの一例を示す模式図である。
【図７】本発明の実施の形態３に係るインターフォンシステムのＣＰＵが実行する鳴分処理の手順を示すフローチャートである。
【符号の説明】
【００８８】
１１，２７  指紋取得部
１２，２８  指紋処理部
２０  ＣＰＵ
２５１  指紋ＤＢ
２５２  呼出音ＤＢ
２３  スピーカ
２６  指紋照合部
【図１】
2006042172.tif 000003
【図２】
2006042172.tif 000004
【図３】
2006042172.tif 000005
【図４】
2006042172.tif 000006
【図５】
2006042172.tif 000007
【図６】
2006042172.tif 000008
【図７】
2006042172.tif 000009